(57)【特許請求の範囲】
【請求項１】
遊技者にとって有利な状態を選択的に形成するため、遊技盤面上に設けられて、下端部を軸として上端部を前記遊技盤面の前側方向へ動作することで開いた際には遊技球が内側面に当たって流入可能となると共に、閉じた際には前方を遊技球が通過する開閉用可動部材が設けられた遊技機用構造物を備えた遊技機であって、
前記遊技機用構造物は、
前記開閉用可動部材の後側に設けられて該開閉用可動部材が開いた際に該開閉用可動部材の内側面に当たって流入した遊技球が転動するように前記開閉用可動部材に対して後側方向へ延出された底面部と、
前記底面部から前記開閉用可動部材に対して横側方向へ延出されて、更に前記遊技盤面よりも前側方向へ延出されて該底面部を転動した遊技球を前記遊技盤面よりも前側方向へ遊技者が視認可能に案内する入賞球用出口と、
前記底面部及び前記入賞球用出口の後端縁部から上側方向に延出されて遊技球が後側方向へ進むのを防止する壁部材と、
前記入賞球用出口の前記遊技盤面よりも前側に延出された遊技球の案内面から転動落下する遊技球を検出する検出手段と、
を有し、
前記入賞球用出口は、前記開閉用可動部材が開いた際に該開閉用可動部材の内側面に当たって前記底面部に流入した遊技球のみが転動すると共に、該底面部を転動した遊技球を全て遊技盤面よりも前側方向へ案内するように構成されていることを特徴とする遊技機。
【発明の詳細な説明】
【０００１】
【発明の属する技術分野】
本発明は、例えばパチンコ遊技機等の遊技機に関し、特に、開いた開閉用可動部材に遊技球が当たって、遊技機用構造物内部に入った後に、下流側に転動させる遊技球を見やすくできる遊技機用構造物を備えた遊技機に関するものである。
【０００２】
【従来の技術】
遊技機の一例としてのパチンコ遊技機の場合、遊技者にとって不利な第１状態と、遊技者にとって有利な第２状態に変化可能となる遊技機用構造物が、遊技盤上に配設されている。例えば第２種のパチンコ遊技機の場合、パチンコ球が遊技盤上の始動口に入賞すると、変動入賞装置の開閉扉が閉じた状態（遊技者に不利な第１状態）から、開閉扉が開いた状態（遊技者にとって有利な第２状態）に変化し、この第２状態において、役物内の遊技用作動部が作動して、遊技球が変動入賞装置内の特定領域に入賞すると、遊技者にとって特に有利な特別遊技状態に変化する。そして、遊技者にとって特に有利な特別遊技状態になると、第１状態と第２状態との間の変化が、１ラウンドとして、３０秒間に１５回程度生じるので、多数の遊技球が入賞可能となる。
【０００３】
【発明が解決しようとする課題】
しかし、このような第２種のパチンコ遊技機の変動入賞装置の場合、変動入賞装置内に入ったパチンコ球が、変動入賞装置内の奥部に行くように構成されている。そのため、変動入賞装置内の奥部でパチンコ球が転動すると、遊技を行っている遊技者は、そのパチンコ球が見にくいため、遊技者は遊技に集中できないという問題が生じる場合がある。
【０００４】
本発明は、前記従来の問題点を解消するためになされたものであり、開閉用可動部材に遊技球が当たって内部に入った後、下流側に転動する遊技球を見やすくすることができる遊技機用構造物を備えた遊技機を提供することを目的とする。
【０００５】
【課題を解決するための手段】
前記目的を達成するため、請求項１に係る遊技機の発明によれば、遊技者にとって有利な状態を選択的に形成するため、遊技盤面上に設けられて、下端部を軸として上端部を前記遊技盤面の前側方向へ動作することで開いた際には遊技球が内側面に当たって流入可能となると共に、閉じた際には前方を遊技球が通過する開閉用可動部材が設けられた遊技機用構造物を備えた遊技機であって、前記遊技機用構造物は、前記開閉用可動部材の後側に設けられて該開閉用可動部材が開いた際に該開閉用可動部材の内側面に当たって流入した遊技球が転動するように前記開閉用可動部材に対して後側方向へ延出された底面部と、前記底面部から前記開閉用可動部材に対して横側方向へ延出されて、更に前記遊技盤面よりも前側方向へ延出されて該底面部を転動した遊技球を前記遊技盤面よりも前側方向へ遊技者が視認可能に案内する入賞球用出口と、前記底面部及び前記入賞球用出口の後端縁部から上側方向に延出されて遊技球が後側方向へ進むのを防止する壁部材と、前記入賞球用出口の前記遊技盤面よりも前側に延出された遊技球の案内面から転動落下する遊技球を検出する検出手段と、を有し、前記入賞球用出口は、前記開閉用可動部材が開いた際に該開閉用可動部材の内側面に当たって前記底面部に流入した遊技球のみが転動すると共に、該底面部を転動した遊技球を全て遊技盤面よりも前側方向へ案内するように構成されていることを特徴とする。
それにより、前側方向へ開いた開閉用可動部材の内側面に当たって内部に入った遊技球は、遊技機用構造物内部の壁部材によって遮られて、その奥部に行くことがない。そのため、前側方向へ開いた開閉用可動部材の内側面に当たって内部に入った遊技球は、底面部を転動した後、該底面部から開閉用可動部材に対して横側方向へ延出されて、更に遊技盤面よりも前側方向へ延出された入賞球用出口を視認可能に転動する。そして、該入賞球用出口を遊技者が視認可能に転動した遊技球は、この入賞球用出口の遊技盤面よりも前側に延出された遊技球の案内面から転動落下するので、遊技を行っている遊技者は、前側方向へ開いた開閉用可動部材の内側面に当たって遊技機用構造物内に入った遊技球が見やすくなることにより、遊技を行う遊技者は遊技に集中することができる。また、入賞球用出口は、前側方向へ開いた開閉用可動部材の内側面に当たって底面部に流入した遊技球のみが転動するように構成されているため、前側方向へ開いた開閉用可動部材から底面部に流入した遊技球のみを、遊技盤面よりも前側に配設された検出手段を介して検出することが可能となる。
また、開閉用可動部材が閉じた後であっても入賞した遊技球を全て遊技盤面よりも前側に誘導することで、遊技を行う遊技者が入賞した全ての遊技球を視認して確認し易くすることができる。
ここで、「開閉用可動部材」とは、例えば大入賞口用の開閉扉、開閉用羽根部材等の可動部材をいい、開閉用可動部材を遊技盤面の前側方向へ開くことによって、遊技者にとって有利な状態である遊技球が入賞しやすい状態（開いた状態）となり、開閉用可動部材を閉じることによって、遊技者にとって不利な状態である遊技球が入賞しにくい状態（閉じた状態）となる。
【０００６】
【０００７】
【０００８】
【０００９】
【００１０】
【００１１】
【００１２】
【００１３】
また、遊技機用構造物は、左右側にそれぞれ配置される左右の開閉用可動部材と、開いた開閉用可動部材に遊技球が当たって内部に入った後に、遊技者側から離れる方向に遊技球が進むのを防止するため、遊技機用構造物内部に配置された壁部材と、開いた開閉用可動部材に当たった遊技球を貯留させる遊技球貯留部と、左右の開閉用可動部材の間に挟まれ、開いた開閉用可動部材に遊技球が当たった後に、遊技球貯留部に貯留された遊技球を遊技者側に出すための入賞球用出口と、前記入賞球用出口から出た遊技球を下流側に転動させるため、遊技者側に配置される下流側遊技球通路と、前記下流側遊技球通路に沿って配置される入賞検出手段と、入賞検出手段に沿って配置される左右の開閉用可動手段と、前記開閉用可動手段の下方に配置される遊技室と、遊技室に配置される特定入賞口とを備えるのが望ましい。
【００１４】
また、遊技球が、遊技盤に設けられた始動口へ入賞し、役物としての遊技機用構造物内に設けられた特定入賞口へ入賞することにより、特別遊技状態を発生する遊技機において、前記始動口に遊技球が入賞した際、遊技機用構造物の開閉用可動部材を可動させる始動口機能を、所定時間不作動状態に設定し、この不作動時間に該当する場合、その旨を遊技者に報知する報知手段を備えるのが望ましい。それにより、遊技者は、遊技球が始動口に入賞しても、開閉用可動部材を可動させる始動口の機能が作動しない不作動時間中に該当することを、報知手段による報知でもって知ることができる。
【００１５】
【発明の実施の形態】
以下、本発明に係る遊技機について、本発明を具体化した実施形態に基づき図面を参照しつつ詳細に説明する。図１は実施形態に係るパチンコ遊技機１を示した正面図である。図２は実施形態に係るパチンコ遊技機１の遊技盤２を示した正面図である。
図１に示すパチンコ遊技機１は、いわゆる第二種パチンコ機であって、パチンコ遊技機１の遊技盤２上に、後述する始動口、可動入賞装置等を配設しているが、図１では省略している。
その遊技盤２の下方には、賞球払出装置（図示せず）を介して、払い出される賞球を受ける上皿Ｐ３がプレートＰ４に配設され、このプレートＰ４は、音出力手段として機能するスピーカ３ａを内蔵している。その上皿Ｐ３の下方には、上皿Ｐ３から溢れたパチンコ球を受ける下皿Ｐ５が配設されている。また、プレートＰ４の下方には、発射装置（図示せず）用の操作ハンドルＰ６が設けられており、上皿Ｐ３上のパチンコ球が、上皿Ｐ３に連通する球送り機構（図示せず）を介して、発射装置へ送られるように構成されている。
【００１６】
また、遊技盤２の両肩部には、賞球払い出し表示用及び球切れ表示用ランプＰ１０が設けられている。この遊技盤２の前側は、鋼板やステンレス等の金属製のガラス扉Ｐ９により覆われている。このガラス扉Ｐ９は、枠体の前側の位置で、ヒンジ部材等を介して、開閉自在となる内枠に取り付けられている。また、ガラス扉Ｐ９には、開口部を有する鋼板やステンレス等の金属製のガラス保持枠が、スポット溶接等により固着されている。そのため、遊技者はガラス保持枠に装着された２枚のガラスを通して、遊技盤２上の遊技領域を見ることができる。また、ガラス扉Ｐ９の上部には、遊技中のエラーを表示するエラー表示ランプＰ７や、「当たり」を表示する当たり表示ランプＰ８が取り付けられている。
【００１７】
次に、この実施形態に係る遊技盤２の遊技領域６に設けられた役物等について、図２に基づき詳細に説明する。
遊技領域６のほぼ中央には、遊技機用構造物としての可動入賞装置７が配置されている。この場合、遊技盤２の中央には、可動入賞装置７用の開口（図示せず）が設けられており、この可動入賞装置７用の開口に対して、可動入賞装置７は、遊技盤２の裏面側からはめ込まれるようになっている。
また、可動入賞装置７の左右には、電飾ランプ８、９が設けられている。その可動入賞装置７と電飾ランプ８、９との間の上方には、入賞口１０、１１が設けられており、更に、入賞口１０、１１の下方であって、電飾ランプ８、９の左右側方には、入賞口１２、１３が設けられている。
その入賞口１２、１３及び可動入賞装置７の下方には、始動口部材１４が設置されており、この始動口部材１４に中始動口１４Ａ、左始動口１４Ｂ及び右始動口１４Ｃが設けられている。
【００１８】
これら中始動口１４Ａ、左始動口１４Ｂ及び右始動口１４Ｃにパチンコ球が入賞すると、所定数の賞球を払い出すと共に、可動入賞装置７の大入賞口１５の開閉扉１６Ａ、１６Ｂを所定回数だけ開閉する。例えば、中始動口１４Ａにパチンコ球が入賞すると、一定時間のインターバル（例えば１秒間）を置いた後に、開閉扉１６Ａ、１６Ｂが、所定時間（例えば０．４秒間の２回で０．８秒間）開放する。また、左始動口１４Ｂ及び右始動口１４Ｃに、パチンコ球が入賞すると、一定時間のインターバル（例えば１秒間）を置いた後に、開閉扉１６Ａ、１６Ｂが、所定時間（例えば０．５秒間）だけ１回開放する。
【００１９】
また、中始動口１４Ａと左始動口１４Ｂとの間には、左側の表示用ＬＥＤ１４Ｄが配設されており、また、中始動口１４Ａと右始動口１４Ｃとの間には、右側の表示用ＬＥＤ１４Ｅが配設されている。そして、表示用ＬＥＤ１４Ｄ及び表示用ＬＥＤ１４Ｅは、左始動口１４Ｂ及び右始動口１４Ｃに、パチンコ球が入賞した場合、一定時間のインターバル（例えば１秒間）を置いた後に、開閉扉１６Ａ、１６Ｂが所定時間（例えば０．５秒間）だけ開放するに際し、左始動口１４Ｂ及び右始動口１４Ｃに、パチンコ球の入賞直後から、所定時間（１．５秒間、すなわち、０．５秒間と１秒間との合計時間分）、点灯するように構成されている。
また、表示用ＬＥＤ１４Ｄ及び表示用ＬＥＤ１４Ｅは、中始動口１４Ａに、パチンコ球が入賞した場合、一定時間のインターバル（例えば１秒間）を置いた後に、開閉扉１６Ａ、１６Ｂが所定時間（例えば０．４秒間の２回で０．８秒間）だけ開放するに際し、パチンコ球の入賞直後から、所定時間（１．８秒間、すなわち、１秒間と０．８秒間との合計時間分）、点灯するように構成されている。
【００２０】
これは、中始動口１４Ａ、左始動口１４Ｂ及び右始動口１４Ｃにパチンコ球が入賞した際、可動入賞装置７（役物）内の開閉扉１６Ａ、１６Ｂ（開閉用可動部材）を可動させる中始動口１４Ａ、左始動口１４Ｂ及び右始動口１４Ｃの機能が作動しない不作動状態に所定時間だけ設定するので、この不作動時間に該当する場合、表示用ＬＥＤ１４Ｄ及び表示用ＬＥＤ１４Ｅの点灯でもって、その旨を遊技者に報知するためである。そして、「始動口機能を不作動状態にする」とは、不作動時間に該当する場合、パチンコ球が始動口１４Ａ、１４Ｂ、１４Ｃに入賞しても、大入賞口１５用の開閉扉１６Ａ、１６Ｂが可動しない状態、すなわち、大入賞口１５用の開閉扉１６Ａ、１６Ｂが閉じたままの状態にすることをいう。そのため、パチンコ球が始動口１４Ａ、１４Ｂ、１４Ｃに入賞しても、開閉扉１６Ａ、１６Ｂが開かない不作動時間の場合は、例えば始動口１４Ａ、１４Ｂ、１４Ｃ以外の入賞口へ、パチンコ球が入賞するように、発射装置の強さ加減を調整して、パチンコ球を発射するのが良いことが分かるので、遊技者は、現在の遊技状態を把握して、例えばパチンコ球の発射装置の発射強さを調整しながら、その発射装置のハンドル等を適宜操作でき、状況に応じた遊技戦略を実行することができる。
【００２１】
その後、始動口機能が作動状態に戻ると、表示用ＬＥＤ１４Ｄ及び表示用ＬＥＤ１４Ｅが消灯するので、遊技者はその旨を把握することができる。
このように表示用ＬＥＤ１４Ｄ及び表示用ＬＥＤ１４Ｅ（報知手段）を、中始動口１４Ａ、左始動口１４Ｂ及び右始動口１４Ｃ（始動口）の近傍の見やすい位置に配置したことにより、始動口の機能と不作動時間との関係が、視覚的に分かりやすい。尚、表示用ＬＥＤ１４Ｄ、１４Ｅ以外に、遊技盤２の周囲に設けられた表示ランプＰ８等の表示手段でもって、不作動時間に該当する旨を報知しても良い。
【００２２】
次に、可動入賞装置７について、図３乃至図１０に基づいて説明する。図３は本実施形態に係る可動入賞装置７を拡大して示す正面図であって、開閉扉１６Ａ、１６Ｂでもって、大入賞口１５Ａ、１５Ｂが閉じた状態であるとともに、左右の開閉用可動手段１９Ａ、１９Ｂが開いた状態である。図４は、その可動入賞装置７を拡大して示す側面図である。図５は、その可動入賞装置７を拡大して示す平面図である。図６は、可動入賞装置７内部を拡大して示す横断面図であって、開閉扉１６Ａ、１６Ｂでもって、大入賞口１５Ａ、１５Ｂが閉じた状態である。図７は、可動入賞装置７内部を拡大して示す縦断面図であって、開閉扉１６Ａ、１６Ｂでもって、大入賞口１５Ａ、１５Ｂが閉じた状態である。
図８は、本実施形態に係る可動入賞装置７を拡大して示す正面図であって、大入賞口１５Ａ、１５Ｂが開いた状態であるとともに、左右の開閉用可動手段１９Ａ、１９Ｂが閉じた状態である。図９は、可動入賞装置７内部を拡大して示す横断面図であって、大入賞口１５Ａ、１５Ｂが開いた状態である。図１０は、可動入賞装置７内部を拡大して示す縦断面図であって、大入賞口１５Ａ、１５Ｂが開いた状態である。
【００２３】
可動入賞装置７の上方構造物７Ａには、図５、図７、及び図１０に示すように、賞球払い出し用の入賞口１７が設けられている。この入賞口１７内にパチンコ球が入賞すると、入賞口スイッチ１７Ａによって、その入賞したパチンコ球が検出されることにより、所定数の賞球が払い出される。
可動入賞装置７の上方構造物７Ａの下方の左右側には、横幅が広くなる左右の大入賞口１５Ａ、１５Ｂが設けられており、これら左右の大入賞口１５Ａ、１５Ｂは、ほぼ長四角形状にそれぞれ形成されている。各大入賞口１５Ａ、１５Ｂの前方には、開閉用可動部材としての開閉扉１６Ａ、１６Ｂが開閉可能に覆われている。この開閉扉１６Ａ、１６Ｂは、可動入賞装置７の裏面側に配設される開閉用ソレノイドＳ１の作動に基づいて、後述の態様で開閉される。そのため、開閉用可動部材として機能する開閉扉１６Ａ、１６Ｂは、可動入賞装置７の上方左右側にそれぞれ配置されることになる。
【００２４】
その大入賞口１５Ａ、１５Ｂの奥部には、可動入賞装置７内の奥部へパチンコ球が進むのを防止するため、壁部材としての壁部Ｂ１が設けられている。この壁部Ｂ１は、大入賞口１５Ａ、１５Ｂの奥部のみならず、大入賞口１５Ａと大入賞口１５Ｂとの間に位置する、大入賞口１５Ａ、１５Ｂ内に入賞した入賞球の出口となる入賞球用出口１６Ｃの奥部にも設けられており、平板状に立設している。
この場合、可動入賞装置７内部において、壁部Ｂ１は、閉じられた開閉扉１６Ａ、１６Ｂの位置から、パチンコ球２個分程度の長さ（図６に示す長さＬ１）分だけ、可動入賞装置７内部の遊技者側から離れる位置（すなわち、遊技盤２の奥部の位置）に配置されている。そのため、壁部Ｂ１と、閉じた状態での開閉扉１６Ａ、１６Ｂとの間の底面部Ｂ２は、パチンコ球２個分程度の長さ（奥行き）であって、開閉扉１６Ａ、１６Ｂ及び入賞球用出口１６Ｃの左右方向の長さを有する空間部が形成されるので、この空間部は、開いた開閉扉１６Ａ、１６Ｂの内側に当たったパチンコ球を貯留させる遊技球貯留部として機能する。
そして、閉じられた開閉扉１６Ａ、１６Ｂの位置から、パチンコ球２個分程度の長さ分、遊技者側から離れる位置に壁部Ｂ１を設ける場合、開閉扉１６Ａ、１６Ｂにパチンコ球が当たった際に、壁部Ｂ１でもって遮られてその奥部に行くことがない。そして、パチンコ球が壁部Ｂ１に当たっても、壁部Ｂ１によって遊技者側に跳ね返されるため、遊技を行っている遊技者は、壁部Ｂ１の手前側に位置するパチンコ球が見やすくなる。
【００２５】
このように開いた開閉扉１６Ａ、１６Ｂの内側に当たったパチンコ球は、壁部Ｂ１に当たって壁部Ｂ１で跳ね返され、大入賞口１５Ａと大入賞口１５Ｂとの間に位置する入賞球用出口１６Ｃ側に寄って、入賞球用出口１６Ｃから遊技者側（前側）に出てくることになるので、入賞球用出口１６Ｃから出たパチンコ球が、可動入賞装置７の遊技者側に配設された下流側パチンコ球通路１８を落下することになる。そのため、閉じた開閉扉１６Ａ、１６Ｂに当たったパチンコ球は、可動入賞装置７の遊技者側の下流側パチンコ球通路１８を通ることになるため、遊技を行っている遊技者は、そのパチンコ球が見やすくなる。
尚、壁部Ｂ１の内部には、図６、図７及び図１０に示すように、発光手段としての複数の装飾用の発光ダイオードＬＬが内設されており、この発光ダイオードＬＬから発せられた光が、遊技者に向かって発光することになる。この場合、装飾用の発光ダイオードＬＬの替わりに、例えば文字、数字等を表す表示装置（図示せず）を壁部Ｂ１の遊技者側に設置しても良い。
【００２６】
また、この下流側パチンコ球通路１８の下方には、図６及び図９に明示するように、左右の入賞口スイッチ１８Ａ、１８Ｂが設けられている。その下流側パチンコ球通路１８を通るパチンコ球は、入賞口スイッチ１８Ａ、１８Ｂに入賞するので、左右の入賞口スイッチ１８Ａ、１８Ｂが、その入賞したパチンコ球をそれぞれ検出することにより、所定数の賞球が払い出される。
この場合、下流側パチンコ球通路１８の両側部には、図３及び図８に明示するように、遊技者側に突き出る左右の突部Ｔ１が設けられている。そして、上下方向に延設された左右の突部Ｔ１の内側には、開いた開閉扉１６Ａ、１６Ｂの内側に当たって、大入賞口１５Ａ、１５Ｂに入り、入賞球用出口１６Ｃから出たパチンコ球のみが、下流側パチンコ球通路１８を通るようできるので、左右の突部Ｔ１は、遊技盤２の可動入賞装置７の外側から転動したパチンコ球が、左右の下流側パチンコ球通路１８の内側に入るのを防止する。
また、左右の開閉扉１６Ａ、１６Ｂの下流側パチンコ球通路１８の両側には、遊技者側に突き出る左右の突部Ｔ０が設けられており、上下方向に延設された左右の突部Ｔ０は、遊技盤２の可動入賞装置７の外側から転動したパチンコ球が、左右の下流側パチンコ球通路１８の内側に侵入するのを防止する。
【００２７】
また、突部Ｔ１の下方には、下流側パチンコ球通路１８の両側から左右方向に延びるように侵入防止用壁部Ｔ２が設けられており、遊技盤２の可動入賞装置７の外側から転動したパチンコ球が、下流側パチンコ球通路１８の下方内側に入るのを防止する。そのため、左右の突部Ｔ０、左右の突部Ｔ１、左右の侵入防止用壁部Ｔ２は、遊技盤２の可動入賞装置７の外側から転動したパチンコ球が、下流側パチンコ球通路１８に侵入するのを防止するので、開いた開閉扉１６Ａ、１６Ｂの内側に当たって、大入賞口１５Ａ、１５Ｂに入り、入賞球用出口１６Ｃから出たパチンコ球のみが、可動入賞装置７の遊技者側の下流側パチンコ球通路１８を通ることになる。
【００２８】
また、下流側パチンコ球通路１８の左右の入賞口スイッチ１８Ａ、１８Ｂの下方には、左右の開閉用可動手段１９Ａ、１９Ｂが設けられている。左右の開閉用可動手段１９Ａ、１９Ｂは、駆動モータＭ０の作動に基づいて、後述する態様により、選択的に開閉することになる。
そして、左右の開閉用可動手段１９Ａ、１９Ｂが、図８に示すように、相互に閉じた状態では、開閉用可動手段１９Ａ、１９Ｂに当たって止まったパチンコ球は、可動入賞装置７内の中央部に設けられた上方パチンコ球通路２０に導かれることになる。また、左右の開閉用可動手段１９Ａ、１９Ｂが、図３に示すように、相互に開いた状態では、左右の開閉用可動手段１９Ａ、１９Ｂを、通過したパチンコ球は、可動入賞装置７の下方部に設けられた下方パチンコ球通路２１に導かれることになる。
この場合、上方パチンコ球通路２０及び下方パチンコ球通路２１は、図７及び図１０に示すように、ともに可動入賞装置７内部に設けられた遊技室２２と連通しており、この遊技室２２の奥部には、大当たりを発生させるＶゾーン用収納部２３が設けられている。
そして、上方パチンコ球通路２０が、遊技室２２及び下方パチンコ球通路２１に比べて上方に位置するとともに、奥部に向かって下り勾配となる斜面となっているので、上方パチンコ球通路２０から落下して遊技室２２へ入るパチンコ球は勢いがあり、特定入賞口としての、Ｖゾーン用収納部２３に入り易い。
それに対して、下方パチンコ球通路２１は、上方パチンコ球通路２０に比べて下方に位置するとともに、奥部に向かって上り勾配となる斜面となっているので、下方パチンコ球通路２１を介して遊技室２２へ入るパチンコ球は、それほど勢いが無く、Ｖゾーン用収納部２３に入りにくい。
【００２９】
それにより、左右の開閉用可動手段１９Ａ、１９Ｂが閉じた場合に当たって止まったパチンコ球は、上方パチンコ球通路２０に導かれるので、結果的に、大当たりを発生させ易いことになる。
このようにパチンコ球が、遊技領域６に設けられた中始動口１４Ａ、左始動口１４Ｂ及び右始動口１４Ｃへ入賞し、更に、可動入賞装置７（遊技機用構造物）内に設けられたＶゾーン用収納部２３（特定入賞口）へ入賞することにより特別遊技状態を発生し、多数のパチンコ球が入賞可能となって、開閉扉１６Ａ、１６Ｂが開いた状態と閉じた状態と間の変化が、１ラウンドとして、３０秒間に１５回程度生じるので、多くの賞球が払い出されて、遊技者にとって特に有利な特別遊技状態（大当たり）になりやすくなる。
また、Ｖゾーン用収納部２３の下方には、後方パチンコ球排出口２４が設けられており、Ｖゾーン用収納部２３は、遊技室２２内のパチンコ球を後方パチンコ球排出口２４に落下させることができるので、Ｖゾーン用収納部２３を通ったパチンコ球が、後方パチンコ球排出口２４の底部に形成された斜面に沿って、前方に向かって案内される。
また、遊技室２２の前方には、前方パチンコ球排出口２５が設けられており、遊技室２２の底部は、前方パチンコ球排出口２５に向かって、下り勾配となる斜面となっているので、遊技室２２の底部に沿って落下したパチンコ球は、Ｖゾーン用収納部２３を通らない場合、前方パチンコ球排出口２５に落下することになる。
【００３０】
次に、開閉扉１６Ａ、１６Ｂを開閉させる開閉機構ＳＭの動作態様について説明する。
可動入賞装置７の裏面側には、図４乃至図７、図９及び図１０に示すように、開閉機構ＳＭが設けられており、開閉機構ＳＭは、開閉用ソレノイドＳ１、取り付け部材Ｓ３、軸部材Ｓ４、連結部材Ｓ５、軸部材Ｓ６、扇形の歯車Ｓ７及び扇形の歯車Ｓ８等を備えている。
可動入賞装置７の裏面側には、図６及び図９に示すように、左右に並ぶ開閉用ソレノイドＳ１が配設されている。それぞれの開閉用ソレノイドＳ１は、開閉機構ＳＭを作動させるため、プランジャＳ２をそれぞれ伸縮させる。各プランジャＳ２の先端には、軸部材Ｓ４を移動させるための、取り付け部材Ｓ３がそれぞれ取り付けられている。その取り付け部材Ｓ３は、図７及び図１０に示すように、プランジャＳ２の伸縮に基づき、左右方向（図６及び図９）に延設された軸部材Ｓ４を前後に移動できる。
【００３１】
また、図６及び図９に示す軸部材Ｓ４の左右方向の中央には、軸部材Ｓ６と連結させるための、連結部材Ｓ５が取り付けられている。この連結部材Ｓ５は、軸部材Ｓ４の前後動に基づき、図７及び図１０に示すように、左右方向に延設された軸部材Ｓ６を時計回りまたは反時計回り方向に回動させることができる。その軸部材Ｓ６の左右方向の両端には、扇形の歯車Ｓ７がそれぞれ取り付けられており、この扇形の歯車Ｓ７は、軸部材Ｓ６の回動に基づき、軸部材Ｓ６と一体的に時計回りまたは反時計回り方向に回動させることができる。
扇形の歯車Ｓ７は、図４、図６及び図９に示すように、開閉扉１６Ａ、１６Ｂ側の扇形の歯車Ｓ８と相互に歯合しており、扇形の歯車Ｓ８が、開閉扉１６Ａ、１６Ｂの下方基部と連結しているので、扇形の歯車Ｓ８は、扇形の歯車Ｓ７の回動に基づき、反時計回りまたは時計回り方向に回動させられ、開閉扉１６Ａ、１６Ｂは、扇形の歯車Ｓ８の回動に基づき、開閉するように回動させられることになる。
【００３２】
更に詳細には、開閉用ソレノイドＳ１のそれぞれの作動に基づいて、そのプランジャＳ２が、開閉扉１６Ａ、１６Ｂに向かって突き出る（または突き出ない位置に戻る）と、プランジャＳ２の先端の連結部材Ｓ３も、開閉扉１６Ａ、１６Ｂに向かって突き出る（または突き出ない位置に戻る）ので、図７及び図１０に示すように、軸部材Ｓ４が反時計回り方向（時計回り方向）に回転することになる。そして、このような軸部材Ｓ４の回転に伴い、連結部材Ｓ５が反時計回り方向（時計回り方向）に回転し、軸部材Ｓ６を反時計回り方向（時計回り方向）に回転させることになるので、軸部材Ｓ６と一体的に回転する扇形の歯車Ｓ７は、反時計回り方向（時計回り方向）に回転することになる。そして、扇形の歯車Ｓ８は、扇形の歯車Ｓ７の回転に伴い、時計回り方向（反時計回り方向）に回転し、開閉扉１６Ａ、１６Ｂの下方基部を時計回り方向（反時計回り方向）に回転させる。
それにより、大入賞口１５Ａ、１５Ｂの前方を開閉可能に覆う開閉扉１６Ａ、１６Ｂは、可動入賞装置７の裏面側に配設される開閉用ソレノイドＳ１の作動に基づいて、開閉扉１６Ａ、１６Ｂの下方基部を回転中心として開閉されるので、開閉機構ＳＭは、所定のタイミングで開閉用ソレノイドＳ１を作動させることにより、開閉扉１６Ａ、１６Ｂは、所定のタイミングで開閉することになる。
【００３３】
次に、左右の開閉用可動手段１９Ａ、１９Ｂを開閉させる開閉機構ＭＭの動作態様について、図１１乃至図１８に基づいて、詳細に説明する。
図１１は、本実施形態に係る可動入賞装置７の左右の開閉用可動手段１９Ａ、１９Ｂを開閉する開閉機構ＭＭを拡大して示す正面図であり、左右の開閉用可動手段１９Ａ、１９Ｂが相互に閉じた状態を示す。図１２は、同開閉機構ＭＭを拡大して示す平面図であり、左右の開閉用可動手段１９Ａ、１９Ｂが相互に閉じた状態を示す。図１３は、同同開閉機構ＭＭを拡大して示す側面図であり、左右の開閉用可動手段１９Ａ、１９Ｂが相互に閉じた状態を示す。図１４は、同開閉機構ＭＭを拡大して示す裏面図であり、左右の開閉用可動手段１９Ａ、１９Ｂが相互に閉じた状態を示す。
図１５は、同開閉機構ＭＭを拡大して示す正面図であり、左右の開閉用可動手段１９Ａ、１９Ｂが相互に開いた状態を示す。図１６は、同開閉機構ＭＭを拡大して示す平面図であり、左右の開閉用可動手段１９Ａ、１９Ｂが相互に開いた状態を示す。図１７は、同開閉機構ＭＭを拡大して示す側面図であり、左右の開閉用可動手段１９Ａ、１９Ｂが相互に開いた状態を示す。図１８は、同開閉機構ＭＭを拡大して示す裏面図であり、左右の開閉用可動手段１９Ａ、１９Ｂが相互に開いた状態を示す。
【００３４】
この場合、左右の開閉用可動手段１９Ａ、１９Ｂは、可動入賞装置７の裏面側に配設される開閉機構ＭＭの作動に基づいて、選択的に開閉することになる。その開閉機構ＭＭは、図１２及び図１３に示すように、駆動モータＭ０、エンコーダ用鍔部Ｍ２、エンコーダ用検出部Ｍ２ａ、取り付け部材Ｍ３、クランク部Ｍ４、案内ピンＭ５、摺動ピンＭ６Ａ、Ｍ６Ｂ、左右の回転用可動部Ｍ７Ａ、Ｍ７Ｂ、左右の軸部Ｍ８Ａ、Ｍ８Ｂ及び左右の開閉用可動手段１９Ａ、１９Ｂ等を備えている。
開閉機構ＭＭは、モータ軸Ｍ１を有する駆動モータＭ０を備えており、このモータ軸Ｍ１の前方側には、エンコーダ用鍔部Ｍ２が、取り付け部材Ｍ３を介して取り付けられている。このエンコーダ用鍔部Ｍ２は、半月板の形状をなしており、モータ軸Ｍ１の回転に伴って、モータ軸Ｍ１と一体的に回転する。
エンコーダ用鍔部Ｍ２の上方には、エンコーダ用検出部Ｍ２ａが配置されており、このエンコーダ用検出部Ｍ２ａは、エンコーダ用鍔部Ｍ２の存在及び不存在を検出することにより、エンコーダ用信号を出力でき、このエンコーダ用信号は、回転動作用の駆動モータＭ０の制御のために使用されることになる。
【００３５】
その取り付け部材Ｍ３の前方側には、図１１に示すように、Ｈ型形状のクランク部Ｍ４が取り付けられている。このクランク部Ｍ４は、４個の上下方向に穿設された上下用溝部Ｍ４ａと、２個の左右方向に穿設された左右用溝部Ｍ４ｂとを備えている。これら上下用溝部Ｍ４ａには、４本の案内ピンＭ５がはめ込まれ、また、２個の左右用溝部Ｍ４ｂには、２本の摺動ピンＭ６Ａ、Ｍ６Ｂがはめ込まれている。そのため、モータ軸Ｍ１の回転に伴って、クランク部Ｍ４が上下に揺動する際に、４個の溝部Ｍ４ａにはめ込まれた４本の案内ピンＭ５が、クランク部Ｍ４の上下動が垂直方向となるように規制する場合、左右用溝部Ｍ４ｂにはめ込まれた左右の摺動ピンＭ６Ａ、Ｍ６Ｂは、左右用溝部Ｍ４ｂの上下動に基づいて、上下に揺動することになる。
【００３６】
そして、左右の摺動ピンＭ６Ａ、Ｍ６Ｂには、図１１及び図１２に示すように、左右の回転用可動部Ｍ７Ａ、Ｍ７Ｂの一端が取り付けられており、左右の回転用可動部Ｍ７Ａ、Ｍ７Ｂの他端には、左右の軸部Ｍ８Ａ、Ｍ８Ｂの後方部がそれぞれ取り付けられている。そのため、クランク部Ｍ４及び左右の摺動ピンＭ６Ａ、Ｍ６Ｂの上下の揺動に伴って、左右の回転用可動部Ｍ７Ａ、Ｍ７Ｂの一端が上下に揺動するので、左右の軸部Ｍ８Ａ、Ｍ８Ｂの取り付け位置が固定されている場合、左右の軸部Ｍ８Ａ、Ｍ８Ｂは、回転用可動部Ｍ７Ａ、Ｍ７Ｂの一端の揺動に伴って、時計回り方向（または反時計回り方向）に回転することになる。
そのため、長手方向に延びる軸部Ｍ８Ａ、Ｍ８Ｂの前方に取り付けられた左右の開閉用可動手段１９Ａ、１９Ｂは、軸部Ｍ８Ａ、Ｍ８Ｂと一体的に時計回り方向（または反時計回り方向）に回転するので、左右の開閉用可動手段１９Ａ、１９Ｂの先端が相互に近接したり、相互に離間する。
そして、左右の開閉用可動手段１９Ａ、１９Ｂの先端が相互に近接する場合、左右の開閉用可動手段１９Ａ、１９Ｂはパチンコ球を保持する。それに対して、左右の開閉用可動手段１９Ａ、１９Ｂの先端が相互に離間する場合、左右の開閉用可動手段１９Ａ、１９Ｂの先端の間から、パチンコ球は下方に落下することになる。それにより、開閉機構ＭＭは、エンコーダ用検出部Ｍ２ａのエンコーダ用信号に基づいて、所定のタイミングで駆動モータＭ０を作動させることにより、左右の開閉用可動手段１９Ａ、１９Ｂは、所定のタイミングで開閉することになる。
そして、左右の開閉用可動手段１９Ａ、１９Ｂが閉じた場合に当たって止まったパチンコ球は、上方パチンコ球通路２０に導かれ、Ｖゾーン用収納部２３に入った場合、大当たりを発生させることになるので、遊技者の興趣を増大させることができる。尚、左右の開閉用可動手段１９Ａ、１９Ｂには、板バネＱ１が取り付けられているので、板バネＱ１にパチンコ球が当たることにより、パチンコ球は、左右の開閉用可動手段１９Ａ、１９Ｂから遠ざかるように弾かれることになる。
【００３７】
以上説明した通り、この実施形態に係るパチンコ遊技機１によれば、遊技盤２に設けられた左始動口１４Ｂ等（始動口）へ入賞することにより、遊技者にとって有利な状態を選択的に形成するため、開閉扉１６Ａ、１６Ｂ（開閉用可動部材）が作動し、可動入賞装置７（遊技機用構造物）内に入ったパチンコ球が、Ｖゾーン用収納部２３（特定入賞口）へ、入賞することにより特別遊技状態が発生する可動入賞装置７（遊技機用構造物）において、開いた開閉扉１６Ａ、１６Ｂ（開閉用可動部材）の内側に、パチンコ球が当たって装置７内部に入った後に、遊技者側から離れる方向にパチンコ球が進むのを防止する壁部Ｂ１（壁部材）を装置７（遊技機用構造物）内部に設け、更に、開いた開閉扉１６Ａ、１６Ｂ（開閉用可動部材）に当たったパチンコ球を、開閉扉１６Ａ、１６Ｂに隣接する入賞用出口１６Ｃから、貯留機能を果たす底面部Ｓ２を通って入賞球用出口１６Ｃから出し、下流側に転動させる下流側遊技球通路１８を、可動入賞装置７の遊技者側に設けた。
そのため、開いた開閉扉１６Ａ、１６Ｂ（開閉用可動部材）に当たったパチンコ球は、壁部Ｂ１（壁部材）によって遮られて、その奥部に行くことがなく、壁部Ｂ１（壁部材）の手前側に位置するとともに、可動入賞装置７（遊技機用構造物）の遊技者側に位置するので、開閉扉１６Ａ、１６Ｂに当たって下流側に転動するパチンコ球が見やすくなって、パチンコ遊技を行う遊技者は遊技に集中することができる。そして、下流側パチンコ球通路１８を通って、下流側に向かって転動したパチンコ球は、遊技室２２内に入るので、Ｖゾーン用収納部２３（特定入賞口）へ入賞した場合、特別遊技状態が発生することになる。
【００３８】
尚、本発明は、前記各実施形態に限定されるものではなく、本発明の要旨を逸脱しない範囲内で種々の改良、変形が可能であることは勿論である。遊技機の一例として第２種パチンコ遊技機を例示したが、それ以外の第１種または第３種パチンコ遊技機であってもよいし、それ以外のスロット機等の遊技機であっても良い。
また、開いた開閉扉１６Ａ、１６Ｂにパチンコ球が当たった後に、そのパチンコ球を遊技者側に出すための入賞球用出口１６Ｃは、開閉扉１６Ａ、１６Ｂの間に必ずしも設ける必要はなく、その他の位置に変更してもよい。また、入賞球用出口１６Ｃと連続する下流側パチンコ球通路１８は、可動入賞装置７の外側に必ずしも設ける必要はなく、必要に応じて、例えば可動入賞装置７の内側に設けても良い。
また、前記実施の形態の場合、可動入賞装置７は、開閉扉１６Ａ、１６Ｂを開閉する方式を採用したが、必ずしも、この態様を採用することなく、例えば開閉用羽根部材等の可動部材が開閉する方式を採用してもよい。
【００３９】
また、図７及び図１０に示す底面部Ｂ２は、必ずしも平面的である必要はなく、図１９に示すように、壁部材としての壁部Ｂ１から、下流側パチンコ球通路１８（遊技者側）に向かって大きく下る下り勾配となる斜面Ｂ３を、必要に応じて設けてもよい。それにより、開いた開閉扉１６Ａ、１６Ｂ（開閉用可動部材）に当たったパチンコ球を貯留させる遊技球貯留部としての底面部Ｂ２に、図１９に示す斜面Ｂ３を設けた場合、底面部Ｂ２に貯留されるパチンコ球は、下り勾配となる斜面Ｂ３に沿って進み、入賞球用出口１６Ｃを介して落下し、下流側パチンコ球通路１８に向かって、スムーズに向かうことになる。
【００４０】
また、図６及び図９に示す壁部材としての壁部Ｂ１は、必ずしもパチンコ球２個分程度の長さ（図６に示す長さＬ１）分だけ、可動入賞装置７内部の遊技者側から離れる位置に配置されている必要はない。例えば、可動入賞装置７内部において、図２０に示すように、パチンコ球の直径の半分程度以下の長さ分（具体的には、パチンコ球の直径の約４分の１程度の長さ）、壁部Ｂ１は、遊技者側から離れる位置に設けてもよい。この場合、壁部Ｂ１の位置が閉まった開閉扉１６Ａ、１６Ｂから近いので、開いた開閉扉１６Ａ、１６Ｂ（開閉用可動部材）に当たったパチンコ球を、底面部Ｂ２が貯留させる機能を果たしにくいため、開いた開閉扉１６Ａ、１６Ｂ（開閉用可動部材）に当たったパチンコ球を、開閉扉１６Ａ、１６Ｂの側方に設けられた下流側パチンコ球通路１８に直接向かうように、大入賞口１５Ａ、１５Ｂ内に入賞した入賞球の出口となる入賞球用出口１６Ｃが、開閉扉１６Ａ、１６Ｂと下流側パチンコ球通路１８との間に配置されるように構成するのがよい。
それにより、開いた開閉扉１６Ａ、１６Ｂ（開閉用可動部材）に当たったパチンコ球は、その直径の半分程度以下の長さだけ遊技者側から離れる位置にある壁部Ｂ１に当たって、その奥部に行くことがないため、遊技を行っている遊技者は、そのパチンコ球が見やすくなる。
もっとも、壁部Ｂ１の位置は、パチンコ球が見にくくなる奥部に行くことがなければ、例えば２個分以上の長さだけ遊技者側から離れる位置に設けてもよく、これらは、遊技機用構造物等の構成に応じて変更してもよい。また、入賞球用出口、遊技球貯留部及び壁部材の形状または位置等は、必ずしも上記のものに限定されるものではなく、その他のものに変更してもよい。
また、役物としての可動入賞装置７は、内部にパチンコ球を入れるための大入賞口１５Ａ、１５Ｂ（入口部）、及び、この大入賞口１５Ａ、１５Ｂ（入口部）の近傍に配置した開閉扉１６Ａ、１６Ｂ（開閉用可動部材）を備える可動入賞装置に限ったものではなく、遊技者にとって有利な状態を選択的に形成するため、開閉用可動部材を開閉することができるものであれば、その他のものでも良い。
その可動入賞装置７内の構造物についても、遊技者の興味を起こさせる回転部材等を採用してもよいし、その他の移動部材を採用してもよい。また、その回転部材または移動部材の駆動方法として、モータ以外に、ソレノイドでもって動作する構成であってもよい。また、遊技機用構造物としての可動入賞装置は、必ずしも、この態様を採用することなく、別の構成を有していても良い。
【００４１】
【発明の効果】
請求項１に係る遊技機の発明によれば、遊技者にとって有利な状態を選択的に形成するため、遊技盤面上に設けられて、下端部を軸として上端部を前記遊技盤面の前側方向へ動作することで開いた際には遊技球が内側面に当たって流入可能となると共に、閉じた際には前方を遊技球が通過する開閉用可動部材が設けられた遊技機用構造物を備えた遊技機であって、前記遊技機用構造物は、前記開閉用可動部材の後側に設けられて該開閉用可動部材が開いた際に該開閉用可動部材の内側面に当たって流入した遊技球が転動するように前記開閉用可動部材に対して後側方向へ延出された底面部と、前記底面部から前記開閉用可動部材に対して横側方向へ延出されて、更に前記遊技盤面よりも前側方向へ延出されて該底面部を転動した遊技球を前記遊技盤面よりも前側方向へ遊技者が視認可能に案内する入賞球用出口と、前記底面部及び前記入賞球用出口の後端縁部から上側方向に延出されて遊技球が後側方向へ進むのを防止する壁部材と、前記入賞球用出口の前記遊技盤面よりも前側に延出された遊技球の案内面から転動落下する遊技球を検出する検出手段と、を有し、前記入賞球用出口は、前記開閉用可動部材が開いた際に該開閉用可動部材の内側面に当たって前記底面部に流入した遊技球のみが転動するように構成されている。それにより、前側方向へ開いた開閉用可動部材の内側面に当たって内部に入った遊技球は、遊技機用構造物内部の壁部材によって遮られて、その奥部に行くことがない。そのため、前側方向へ開いた開閉用可動部材の内側面に当たって内部に入った遊技球は、底面部を転動した後、該底面部から開閉用可動部材に対して横側方向へ延出されて、更に遊技盤面よりも前側方向へ延出された入賞球用出口を視認可能に転動する。そして、該入賞球用出口を遊技者が視認可能に転動した遊技球は、この入賞球用出口の遊技盤面よりも前側に延出された遊技球の案内面から転動落下するので、遊技を行っている遊技者は、前側方向へ開いた開閉用可動部材に当たって遊技機用構造物内に入った遊技球が見やすくなることにより、遊技を行う遊技者は遊技に集中することができる。また、入賞球用出口は、前側方向へ開いた開閉用可動部材に当たって底面部に流入した遊技球のみが転動するように構成されているため、前側方向へ開いた開閉用可動部材から底面部に流入した遊技球のみを、遊技盤面よりも前側に配設された検出手段を介して検出することが可能となる。
【００４２】
【００４３】
【００４４】
【００４５】
【００４６】
【００４７】
【００４８】
【図面の簡単な説明】
【図１】  本実施形態に係るパチンコ遊技機を示した正面図である。
【図２】  本実施形態に係るパチンコ遊技機の遊技盤を示した正面図である。
【図３】   本実施形態に係る可動入賞装置を拡大して示す正面図であり、開閉扉が閉じた状態を示す。
【図４】  本実施形態に係る可動入賞装置を拡大して示す側面図であり、開閉扉が閉じた状態を示す。
【図５】  本実施形態に係る可動入賞装置を拡大して示す平面図である。
【図６】  本実施形態に係る可動入賞装置を拡大して示す横断面図であり、開閉扉が閉じた状態を示す。
【図７】  本実施形態に係る可動入賞装置を拡大して示す縦断面図であり、開閉扉が閉じた状態を示す。
【図８】  本実施形態に係る可動入賞装置を拡大して示す正面図であり、開閉扉が開いた状態を示す。
【図９】  本実施形態に係る可動入賞装置を拡大して示す横断面図であり、開閉扉が開いた状態を示す。
【図１０】  本実施形態に係る可動入賞装置を拡大して示す縦断面図であり、開閉扉が開いた状態を示す。
【図１１】  本実施形態に係る可動入賞装置内の左右の開閉用可動手段を作動させる開閉機構を抽出して示す拡大正面図であり、左右の開閉用可動手段が閉じた状態を示す。
【図１２】  本実施形態に係る可動入賞装置内の左右の開閉用可動手段を作動させる開閉機構を抽出して示す拡大平面図であり、左右の開閉用可動手段が閉じた状態を示す。
【図１３】  本実施形態に係る可動入賞装置内の左右の開閉用可動手段を作動させる開閉機構を抽出して示す拡大側面図であり、左右の開閉用可動手段が閉じた状態を示す。
【図１４】  本実施形態に係る可動入賞装置内の左右の開閉用可動手段を作動させる開閉機構を抽出して示す拡大裏面図であり、左右の開閉用可動手段が閉じた状態を示す。
【図１５】  本実施形態に係る可動入賞装置内の左右の開閉用可動手段を作動させる開閉機構を抽出して示す拡大正面図である。
【図１６】  本実施形態に係る可動入賞装置内の左右の開閉用可動手段を作動させる開閉機構を抽出して示す拡大平面図であり、左右の開閉用可動手段が開いた状態を示す。
【図１７】  本実施形態に係る可動入賞装置内の左右の開閉用可動手段を作動させる開閉機構を抽出して示す拡大側面図であり、左右の開閉用可動手段が開いた状態を示す。
【図１８】  本実施形態に係る可動入賞装置内の左右の開閉用可動手段を作動させる開閉機構を抽出して示す拡大裏面図であり、左右の開閉用可動手段が開いた状態を示す。
【図１９】  他の実施形態に係る可動入賞装置を拡大して示す要部縦断面図であって、図７に対応する図面の一部を抽出して示す。
【図２０】  他の実施形態に係る可動入賞装置を拡大して示す要部横断面図であって、図９に対応する図面の一部を抽出して示す。
【符号の説明】
１                パチンコ遊技機（遊技機）
２                遊技盤
６                遊技領域
７                可動入賞装置（遊技機用構造物）
８、９            電飾ランプ
１０、１１        入賞口
１２、１３        入賞口
１４              始動口部材
１４Ａ            中始動口（始動口）
１４Ｂ            左始動口（始動口）
１４Ｃ            右始動口（始動口）
１４Ｄ、１４Ｅ    表示用ＬＥＤ（報知手段）
１５Ａ、１５Ｂ    大入賞口
１６Ａ、１６Ｂ    左右の開閉扉（開閉用可動部材）
１６Ｃ            入賞球用出口
１８              下流側パチンコ球通路（下流側遊技球通路）
１８Ａ、１８Ｂ    左右の入賞口スイッチ
１９Ａ、１９Ｂ    左右の開閉用可動手段
２０              上方パチンコ球通路
２１              下方パチンコ球通路
２２              遊技室
２３              Ｖゾーン用収納部
２４              後方パチンコ球排出口
２５              前方パチンコ球排出口
Ｍ０              駆動モータ（駆動手段）
Ｍ２              エンコーダ用鍔部
Ｍ４              クランク部
Ｍ７Ａ、Ｍ７Ｂ    左右の回転用可動部
Ｍ８Ａ、Ｍ８Ｂ    左右の軸部
Ｔ０              突部
Ｔ１              突部
Ｓ１              開閉用ソレノイド（駆動手段）
Ｓ２              プランジャ
ＬＬ              発光ダイオード（発光手段）
Ｂ１              壁部（壁部材）
Ｂ２              底面部（遊技球貯留部）
Ｂ３              斜面
ＭＭ              開閉機構
ＳＭ              開閉機構
【図１】
0004604434.tif 000002
【図２】
0004604434.tif 000003
【図３】
0004604434.tif 000004
【図４】
0004604434.tif 000005
【図５】
0004604434.tif 000006
【図６】
0004604434.tif 000007
【図７】
0004604434.tif 000008
【図８】
0004604434.tif 000009
【図９】
0004604434.tif 000010
【図１０】
0004604434.tif 000011
【図１１】
0004604434.tif 000012
【図１２】
0004604434.tif 000013
【図１３】
0004604434.tif 000014
【図１４】
0004604434.tif 000015
【図１５】
0004604434.tif 000016
【図１６】
0004604434.tif 000017
【図１７】
0004604434.tif 000018
【図１８】
0004604434.tif 000019
【図１９】
0004604434.tif 000020
【図２０】
0004604434.tif 000021